(57)【要約】【解決手段】本発明は、適応型チューニングアンテナ回路におけるアンテナのインピーダンスをマッチングさせるインピーダンス調節装置に関するものであり、カプラが送信信号のカップリングされたパワーを出力する出力端子にマッチング部を具備し、制御部がマッチング部のインピーダンスを調節してカプラから出力される反射パワーが最低になるようにし、制御部がチューナのインピーダンスを調節してチューナ及びアンテナの合成インピーダンスがマッチング部のインピーダンスと同じで位相が反対になるようにして、アンテナのインピーダンスを最適の状態に調節する。【選択図】図２
2013502137.tif 000002
【特許請求の範囲】
【請求項１】
入力される送信信号を送信信号出力端子に出力するとともに、送信信号のカップリングされたパワー及び反射パワーを出力するカプラと、
アンテナのインピーダンスを調節しながら、前記カプラが出力する送信信号を前記アンテナに供給するチューナと、
前記カプラが出力するカップリングパワーにマッチングされるマッチング部と、
前記カプラが出力する反射パワーのレベルを検出するパワー検出器と、
前記パワー検出器が検出する反射パワーのレベルが最低になるようにするインピーダンスの位置を追跡して前記マッチング部のインピーダンスを調節し、前記マッチング部のインピーダンスに応じて前記チューナのインピーダンスを調節する制御部と、を含む適応型チューニングアンテナ回路のインピーダンス調節装置。
【請求項２】
前記チューナのインピーダンス調節は、
前記チューナ及び前記アンテナの合成インピーダンスが前記マッチング部のインピーダンスと同じで、位相は反対になるように調節する請求項１に記載の適応型チューニングアンテナ回路のインピーダンス調節装置。
【請求項３】
前記マッチング部は、
前記カプラがカップリングパワーを出力する出力端子に接続され、前記制御部の制御に応じてＲＦインピーダンスが可変されるピンダイオードと、
前記カプラがカップリングパワーを出力する出力端子に接続され、前記制御部の制御に応じてキャパシタンスが可変されるバラクタと、
前記バラクタに直列接続されるインダクタと、を含む請求項１に記載の適応型チューニングアンテナ回路のインピーダンス調節装置。
【請求項４】
前記カプラがカップリングパワーを出力する出力端子と前記直列接続されたバラクタ及びインダクタとの間に、
直流信号を遮断するためのキャパシタを含む請求項３に記載の適応型チューニングアンテナ回路のインピーダンス調節装置。
【請求項５】
前記制御部が出力する制御電流を前記ピンダイオードの制御端子に供給するバイアス用抵抗を含む請求項３に記載の適応型チューニングアンテナ回路のインピーダンス調節装置。
【請求項６】
前記マッチング部のインピーダンス可変に応じて前記チューナのインピーダンスを可変させるための制御信号がルックアップテーブルに予めセーブされているメモリを含む請求項１に記載の適応型チューニングアンテナ回路のインピーダンス調節装置。
【請求項７】
入力される送信信号を送信信号出力端子に出力するとともに、送信信号のカップリングされたパワー及び反射パワーを出力するカプラと、
前記カプラが出力するカップリングパワーにマッチングされるマッチング部と、
前記カプラが出力する反射パワーのレベルを検出するパワー検出器と、
前記パワー検出器が検出する反射パワーのレベルが最低になるようにするインピーダンスの位置を追跡する制御部と、を含む適応型チューニングアンテナ回路のインピーダンス調節装置。
【請求項８】
前記マッチング部は、
前記カプラがカップリングパワーを出力する出力端子に接続され、前記制御部の制御に応じてＲＦインピーダンスが可変されるピンダイオードと、
前記カプラがカップリングパワーを出力する出力端子に接続され、前記制御部の制御に応じてキャパシタンスが可変されるバラクタと、
前記バラクタに直列接続されるインダクタと、を含む請求項７に記載の適応型チューニングアンテナ回路のインピーダンス調節装置。
【請求項９】
前記カプラがカップリングパワーを出力する出力端子と前記直列接続されたバラクタ及びインダクタとの間に、
直流信号を遮断するためのキャパシタを含む請求項８に記載の適応型チューニングアンテナ回路のインピーダンス調節装置。
【請求項１０】
前記制御部が出力する制御電流を前記ピンダイオードの制御端子に供給するバイアス用抵抗を含む請求項８に記載の適応型チューニングアンテナ回路のインピーダンス調節装置。
【発明の詳細な説明】
【技術分野】
【０００１】
本発明は、適応型チューニングアンテナ回路のインピーダンス調節装置に関するものである。
【背景技術】
【０００２】
移動通信端末機におけるアンテナ回路は、アンテナを介して所定の電波信号を送信するか、又は電波を受信する役割を果たす。前記アンテナが最適の送受信放射性能を有するようにするためには、インピーダンスを正確にマッチングさせなければならない。従って、前記アンテナ回路はキャパシタ及びインダクタなどを具備し、そのキャパシタ及びインダクタの値を調節して前記アンテナのインピーダンスを最適の状態にマッチングさせている。
【０００３】
前記インピーダンスのマッチングは、通常前記移動通信端末機を自由空間に位置させた状態でアンテナのインピーダンスをマッチングさせることである。一方、移動通信端末機は、機器の特性上、使用者が本体を手で取ってスピーカを耳に密着させた状態で使用するか、又は袋や移動通信端末機の本体をかばんなどに入れ、イヤホンなどを利用して使用することになる。
【０００４】
使用者が移動通信端末機の本体を手で取り、耳に密着させて使用するか袋に又はかばんなどに入れて使用することで、前記アンテナのイッピーダンスマッチング条件が可変され、これによって前記自由空間でインピーダンスをマッチングさせたアンテナの送受信放射性能が低下される。
【０００５】
従って、移動通信端末機はアンテナのインピーダンスマッチング条件が変化される場合、自動的にアンテナのインピーダンスを調節して、アンテナが最適の送受信放射性能を有するようにする適応型チューニングアンテナ回路を採択している。前記適応型チューニングアンテナ回路がアンテナの送受信放射性能を最適の状態に維持させるためには、アンテナのインピーダンスの変化状態を検出しなければならない。
このため、適応型チューニングアンテナ回路はカプラを具備し、カプラから出力される反射パワー（Ｒｅｆｌｅｃｔｅｄ  Ｐｏｗｅｒ）及び進行パワー（Ｆｏｒｗａｒｄ  Ｐｏｗｅｒ）を検出した。そして、前記検出した反射パワー及び進行パワーに応じてチューナを調節し、アンテナのインピーダンスを調節した。
【０００６】
しかしながら、前記反射パワー及び進行パワーを検出してアンテナのインピーダンスを調節するためには、反射パワー及び進行パワーを検出するための２つのパワー検出器を使用しなければならなかった。
また、前記インピーダンスの調節は、実際のアンテナのインピーダンス非マッチングによってアンテナから反射される反射パワーを測定することである。従って、アンテナのインピーダンスを最適にマッチングされる過程において、実際にアンテナから放射される信号の出力が変わり得るなどの問題点がある。
【発明の概要】
【発明が解決しようとする課題】
【０００７】
従って、本発明の目的は、一つのパワー検出器を使用してアンテナのインピーダンスを調節する適応型チューニングアンテナ回路のインピーダンス調節装置を提供することである。
【０００８】
また、本発明の他の目的は、最適のアンテナマッチング値を探す過程において、実際に放射される信号の変化がないようにする適応型チューニングアンテナ回路のインピーダンス調節装置を提供することである。
【０００９】
本発明が解決しようとする技術的課題は上述した技術的課題に限らず、上述されていない更に他の技術的課題は、下記の記載から本発明の属する技術分野における通常の知識を有する者であれば明確に理解できるはずである。
【課題を解決するための手段】
【００１０】
本発明の適応型チューニングアンテナ回路のインピーダンス調節装置は、入力される送信信号を送信信号出力端子に出力するとともに、送信信号のカップリングされたパワー及び反射パワーを出力するカプラと、アンテナのインピーダンスを調節しながら前記カプラが出力する送信信号を前記アンテナに供給するチューナと、前記カプラが出力するカップリングパワーにマッチングされるマッチング部と、前記カプラが出力する反射パワーのレベルを検出するパワー検出器と、前記パワー検出器が検出する反射パワーのレベルが最低になるようにするインピーダンスの位置を追跡して前記マッチング部のインピーダンスを調節し、前記マッチング部のインピーダンスに応じて前記チューナのインピーダンスを調節する制御部と、を含む。
【００１１】
前記チューナのインピーダンス調節は、前記チューナ及び前記アンテナの合成インピーダンスが前記マッチング部のインピーダンスと同じで、位相は反対になるように調節することである。
【００１２】
前記マッチング部は、前記カプラがカップリングパワーを出力する出力端子に接続され、前記制御部の制御に応じてＲＦインピーダンスが可変されるピンダイオードと、前記カプラがカップリングパワーを出力する出力端子に接続され、前記制御部の制御に応じてキャパシタンスが可変されるバラクタと、前記バラクタに直列接続されるインダクタと、を含む。
【００１３】
前記カプラがカップリングパワーを出力する出力端子と前記直列接続されたバラクタ及びインダクタの間には、直流信号を遮断するためのキャパシタを含む。
【００１４】
また、前記マッチングは、前記制御部が出力する制御電流を前記ピンダイオードの制御端子に供給するバイアス用抵抗を含む。
【００１５】
また、本発明は、前記マッチング部のインピーダンス可変に応じて前記チューナのインピーダンスを可変させるための制御信号がルックアップテーブルに予めセーブされているメモリを含む。
【発明の効果】
【００１６】
本発明の適応型チューニングアンテナ回路のインピーダンス調節装置は、カプラがカップリングパワーを出力する出力端子にマッチング部を具備し、そのマッチング部のインピーダンスを可変させながらカプラが出力する反射パワーのレベルを一つのパワー検出器で検出して、反射パワーのレベルが最低になるようにする。
【００１７】
そして、チューナ部を制御し、チューナ部及びアンテナの合成インピーダンスがマッチング部のインピーダンスと同じで、位相は反対になるように調節し、アンテナのインピーダンスをマッチングさせる。
【００１８】
従って、一つのパワー検出器のみを使用し、アンテナのインピーダンスを正確にマッチングさせることができる。
【００１９】
また、本発明は、マッチング部のインピーダンスを可変させながらチューナ部を調節してアンテナのインピーダンスをマッチングさせることであるため、アンテナのインピーダンスをマッチングさせる過程で実際にアンテナから放射される信号の出力には何の変化もない。
【図面の簡単な説明】
【００２０】
【図１】本発明のインピーダンス調節装置の動作原理を説明するための図である。
【図２】本発明のインピーダンス調節装置の構成を示す図である。
【図３】本発明のインピーダンス調節装置に使用されるピンダイオードの電流−ＲＦインピーダンス特性を示すグラフである。
【図４】本発明のインピーダンス調節装置に使用されるバラクタの電圧−キャパシタンス特性を示すグラフである。
【図５】本発明のインピーダンス調節装置におけるマッチング部の等価回路図である。
【図６】本発明のインピーダンス調節装置において、マッチング部に具備されたバラクタのキャパシタンス値を大きく設定した場合と、小さく設定した場合のそれぞれのアドミッタンスチャートである。
【図７】本発明のインピーダンス調節装置において、マッチング部に具備されたバラクタのキャパシタンス値を大きく設定した場合と、小さく設定した場合のそれぞれのアドミッタンスチャートである。
【図８】本発明のインピーダンス調節装置において、マッチング部に具備されたピンダイオードのＲＦインピーダンス値を高く設定した場合と、低く設定した場合のそれぞれのアドミッタンスチャートである。
【図９】本発明のインピーダンス調節装置において、マッチング部に具備されたピンダイオードのＲＦインピーダンス値を高く設定した場合と、低く設定した場合のそれぞれのアドミッタンスチャートである。
【発明を実施するための形態】
【００２１】
以下の詳細な説明は例示に過ぎず、本発明の実施例を示したものに過ぎない。また、本発明の原理と概念は、最も有用で容易に説明される目的で提供される。
従って、本発明の基本的理解のための必要以上の詳細な構造を提供しようとしなかったことはもちろん、通常の知識を有する者が本発明の実態から実施され得る様々な形態を図面を介して例示する。
【００２２】
図１は、本発明のインピーダンス調節装置の動作原理を説明するための図である。ここで、符号１００はカプラである。前記カプラ１００は、入力端子（ＩＮ）に送信信号を入力し、入力した送信信号を送信信号出力端子（ＯＵＴ）に出力してアンテナ１１０に供給する。
【００２３】
そして、前記カプラ１００は前記送信信号出力端子（ＯＵＴ）に出力する送信信号のパワーより微弱なレベルの送信信号のカップリングされたパワーをカップリングパワー出力端子（ＦＰ）に出力し、また、前記送信信号出力端子（ＯＵＴ）に出力して前記アンテナ１１０から反射される反射波のカップリングされたパワーと前記カップリングパワー出力端子（ＦＰ）から反射される反射パワーを反射パワー出力端子（ＲＰ）に出力する。
【００２４】
前記カップリングパワー出力端子（ＦＰ）にはマッチング部１２０が具備され、前記反射波のカップリングパワー出力端子（ＲＰ）にはパワー検出器１３０が具備される。
【００２５】
ここで、アンテナ１１０側の反射係数をφａとし、マッチング部１２０の反射係数をφｂとし、アンテナ１１０側から反射されて反射パワー出力端子（ＲＰ）に出力される信号をＳｏｕｔ＿Ａとし、マッチング部１２０から反射されて反射パワー出力端子（ＲＰ）に出力される信号をＳｏｕｔ＿Ｍとする場合、前記Ｓｏｕｔ＿Ａ及びＳｏｕｔ＿Ｍは以下の数式１及び数式２のようである。
（数１）
Ｓｏｕｔ＿Ａ＝Ｓ２１×φａ×Ｓ４２
（数２）
Ｓｏｕｔ＿Ｍ＝Ｓ３１×φｂ×Ｓ４３
ここで、Ｓｘｙ（ｘ及びｙは１，２，３，４である）は、ｙ端子に入力されてｘ端子に出力される信号の強度である。
前記Ｓ３１＝Ｓ４２であり、また、Ｓ４３＝Ｓ２１であるため、前記数式２のＳｏｕｔ＿Ｍは数式３のように置換することができる。
（数３）
Ｓｏｕｔ＿Ｍ＝Ｓ４２×φｂ×Ｓ２１＝Ｓ２１×φｂ×Ｓ４２
【００２６】
前記数式１及び数式３を比較してみると、アンテナ１１０から反射されて反射パワー出力端子（ＲＰ）に出力される信号Ｓｏｕｔ＿Ａと、マッチング部１２０から反射されて反射パワー出力端子（ＲＰ）に出力される信号Ｓｏｕｔ＿Ｍの値は、アンテナ１１０側の反射係数φａと、マッチング部１２０の反射係数φｂの値ほどの差があるということが分かる。
【００２７】
そして、アンテナ１１０及びマッチング部１２０からそれぞれ反射されて反射パワー出力端子（ＲＰ）に出力される信号Ｓｏｕｔは、数式４のようである。
（数４）
Ｓｏｕｔ＝Ｓｏｕｔ＿Ａ＋Ｓｏｕｔ＿Ｍ＝Ｓ２１×Ｓ４２×（φａ＋φｂ）
【００２８】
前記数式４によると、前記アンテナ１１０側の反射係数φａと、マッチング部１２０の反射係数φｂの大きさが同じで、互いの位相が反対である場合、反射係数φａ及び反射係数φｂは互いに相殺され、Ｓｏｕｔの大きさは０になるということが分かる。
【００２９】
従って、図１の回路図でマッチング部１２０のインピーダンスを適切に調節し、カプラ１００の反射パワー出力端子（ＲＰ）に出力されるＳｏｕｔの大きさをパワー検出器１３０で測定すると、前記カプラ１００の送信信号出力端子（ＯＵＴ）側から前記アンテナ１１０側へのインピーダンス情報を知ることができる。
【００３０】
なぜなら、パワー検出器１３０が検出する反射パワーの強度が最も小さい場合、前記カプラ１００の送信信号出力端子（ＯＵＴ）側から前記アンテナ１１０の方に向かうインピーダンスは、前記マッチング部１２０のインピーダンスと大きさは同じで、位相は反対であるためである。
【００３１】
図２は、上述したような動作原理を利用して構成した本発明のインピーダンス調節装置の構成を示す図である。ここで、符号２００はカプラである。前記カプラ２００は、入力端子（ＩＮ）に入力される送信信号を送信信号出力端子（ＯＵＴ）に出力する。
【００３２】
また、前記カプラ２００は前記送信信号出力端子（ＯＵＴ）に出力する送信信号のパワーより微弱なレベルの送信信号のカップリングされたパワーをカップリングパワー出力端子（ＦＰ）に出力し、前記送信信号出力端子（ＯＵＴ）及び前記カップリングパワー出力端子（ＦＰ）から反射される反射パワーを反射パワー出力端子（ＲＰ）に出力する。
【００３３】
前記カプラ２００の送信信号出力端子（ＯＵＴ）は、制御信号に応じてインピーダンスが可変されるチューナ２１０を介してアンテナ２２０が連結される。
前記カプラ２００のカップリングパワー出力端子（ＦＰ）にはマッチング部２３０が接続され、前記カプラ２００の反射波のカップリングパワー出力端子（ＲＰ）にはパワー検出器２４０が接続される。
【００３４】
前記マッチング部２３０は、前記カップリングパワー出力端子（ＦＰ）にピンダイオード２３１が接続され、ピンダイオード２３１の制御端子にバイアス用抵抗２３３が接続される。また、前記カップリングパワー出力端子（ＦＰ）に直流遮断用キャパシタ２３５、バラクタ２３７及びインダクタ２３９が直列接続され、前記バラクタ２３７の制御端子には制御電圧が印加されて構成される。
【００３５】
符号２５０は制御部である。前記制御部２５０は、バイアス用抵抗２３３を介して前記ピンダイオード２３１に制御電流を供給し、前記バラクタ２３７に制御電圧を供給して前記マッチング部２３０のインピーダンスを可変させながら前記パワー検出器２４０が検出する反射パワーのレベルが最低になるように調節する。
【００３６】
また、前記制御部２５０は前記チューナ２１０を制御し、前記チューナ２１０及びアンテナ２２０の合成インピーダンスが前記マッチング部２３０のインピーダンスと同じで、位相は互いに異なるようにする。
【００３７】
符号２６０はメモリである。前記メモリ２６０には、前記チューナ２１０及び前記アンテナ２２０の合成インピーダンスが前記制御部２５０の制御に応じた前記マッチング部２３０のインピーダンスと同じインピーダンスを有するようにする前記チューナ２１０の制御信号が予めセーブされる。
【００３８】
このような構成を有する本発明のインピーダンス調節装置は、無線伝送する送信信号がカプラ２００の入力端子（ＩＮ）に入力されて送信信号出力端子（ＯＵＴ）に出力される。
【００３９】
前記カプラ２００の送信信号出力端子（ＯＵＴ）に出力される送信信号は、チューナ２１０を介してアンテナ２２０に印加され、無線に送出される。
【００４０】
そして、前記カプラ２００は前記送信信号出力端子（ＯＵＴ）に出力する送信信号のパワーより微弱なレベルの送信信号のカップリングされたパワーをカップリングパワー出力端子（ＦＰ）に出力するとともに、前記送信信号出力端子（ＯＵＴ）に出力されて反射される反射パワーと前記カップリングパワー出力端子（ＦＰ）に出力されて反射される反射パワーを反射パワー出力端子（ＲＰ）に出力するようになる。
【００４１】
前記カプラ２００の反射パワー出力端子（ＲＰ）に出力される反射パワーはパワー検出器２４０に入力されて反射パワーのレベルが検出され、検出された反射パワーのレベルは制御部２５０に入力される。
【００４２】
このような状態で、前記制御部２５０はマッチング部２３０に制御信号を出力し、ピンダイオード２３１のＲＦインピーダンス及びバラクタ２３７のキャパシタンスを可変させてマッチング部２３０のインピーダンスを可変させる。
【００４３】
即ち、前記ピンダイオード２３１は、例えば、図３に示したように制御端子に印加される制御電流に応じてＲＦインピーダンスの値が可変される。そして、前記バラクタ２３７は、図４に示したように制御端子に印加される電圧に応じてキャパシタンスが可変される。
【００４４】
このようなマッチング部２３０を等価回路で図示すると、図５に示したようにバラクタ２３７によるキャパシタと、インダクタ２３９が直列連結される。そして、前記直列連結されたバラクタ２３７によるキャパシタ及びインダクタ２３９に、ピンダイオード２３１によるＲＦインピーダンスが並列連結された構造を有する。
【００４５】
前記制御部２５０は制御電流を発生し、発生した制御電流はバイアス用抵抗２３３を介してピンダイオード２３１に供給され、ピンダイオード２３１のＲＦインピーダンスを可変させる。また、前記制御部２５０は制御電圧を発生し、発生した制御電圧はバラクタ２３７の制御端子に印加され、バラクタ２３７が制御電圧に応じて所定のキャパシタンスを有するようになる。
【００４６】
このように、前記制御部２５０が前記ピンダイオード２３１のＲＦインピーダンス及び前記バラクタ２３７のキャパシタンスを可変させることによって、マッチング部２３０のインピーダンスが可変される。
【００４７】
前記マッチング部２３０の可変可能なＲＦインピーダンスをスミスチャート（Ｓｍｉｔｈ  Ｃｈａｒｔ）の逆であるアドミッタンスチャート（Ａｄｍｉｔｔａｎｃｅ  Ｃｈａｒｔ）上で見てみると、図６及び図７、図８及び図９に示したようである。
【００４８】
図６はマッチング部２３０に具備されたバラクタ２３７のキャパシタンスの値を大きく設定した場合のアドミッタンスチャートであり、図７はバラクタ２３７のキャパシタンスの値を小さく設定した場合のアドミッタンスチャートである。
【００４９】
前記図６及び図７によると、バラクタ２３７のキャパシタンスの値を可変させることで、マッチング部２３０のＲＦインピーダンスを該当領域内で可変させることができるということが分かる。
【００５０】
そして、図８はマッチング部２３０に具備されたピンダイオード２３１のＲＦインピーダンスの値を高く設定した場合のアドミッタンスチャートであり、図９はピンダイオード２３１のＲＦインピーダンスの値を低く設定した場合のアドミッタンスチャートである。
【００５１】
前記図８及び図９によると、ピンダイオード２３１のＲＦインピーダンスの値を可変させることによって、マッチング部２３０のＲＦインピーダンスを該当領域内で可変させることができるということが分かる。
【００５２】
このように、ピンダイオード２３１のＲＦインピーダンスは図６及び図７に示した領域内で可変させることができ、バラクタ２３７のキャパシタンスは図８及び図９に示した領域内で可変させることができる。
【００５３】
従って、前記領域内でパワー検出器２４０が検出するパワーが最小になる地点が、チューナ２１０及びアンテナ２２０の合成インピーダンスとマッチング部２３０のインピーダンスが大きさは同じで、位相は反対である地点と最も近い地点であるということが分かり、これを利用して最適のアンテナインピーダンスマッチングを成せるよう、チューナのインピーダンスを調節するとよい。
【００５４】
本発明では、前記制御部２５０が上述したようにマッチング部２３０のインピーダンスを可変させながら、その可変させたマッチング部２３０のインピーダンスに該当する制御信号をメモリ２６０のルックアップテーブルから探してチューナ２１０に出力する。
【００５５】
そうすると、前記チューナ２１０は前記制御部２５０が出力する制御信号に応じてインピーダンスが可変され、前記チューナ２１０及びアンテナ２２０の合成インピーダンスは前記マッチング部２３０のインピーダンスと同じで、位相のみが互いに反対方向になる。
【００５６】
即ち、前記メモリ２６０では前記制御部２５０が前記マッチング部２３０に出力する制御信号に対応され、前記チューナ２１０に出力するための制御信号がルックアップテーブルに予めセーブされている。
【００５７】
前記メモリ２６０にルックアップテーブルとしてセーブされている制御信号は、前記マッチング部２３０のＲＦインピーダンスと前記チューナ２１０及びアンテナ２２０の合成インピーダンスが同じで、位相が互いに反対方向になるようにするものであり、前記制御部２５０は前記マッチング部２３０のＲＦインピーダンスを可変させながら前記チューナ２１０のインピーダンスを共に可変させる。
【００５８】
このような状態で、前記制御部２５０はパワー検出器２４０が検出する反射パワーのレベルを入力し、その入力した反射パワーのレベルが最小になるようにするインピーダンスの位置を追跡してマッチング部２３０のＲＦインピーダンスを可変させるとともに、マッチング部２３０のＲＦインピーダンスの可変に応じてチューナ２１０のインピーダンスを可変させる。
【００５９】
そして、パワー検出器が検出する反射パワーのレベルが最小になった場合、前記アンテナ２２０は最適の状態にインピーダンスがマッチングされたのであり、アンテナ２２０は最適の送受信放射性能として動作するようになる。
【００６０】
以上では、代表的な実施例を介して本発明について詳細に説明したが、本発明の属する技術分野における通常の知識を有する者は、上述した実施例に対して本発明の範疇から逸脱しない範囲内で多様な変形が可能であるということが理解できるはずである。
【００６１】
従って、本発明の権利範囲は、説明された実施例に限って決められてはならず、後述する特許請求の範囲だけでなく、この特許請求の範囲と均等なものによって決められるべきである。
【産業上の利用可能性】
【００６２】
本発明は、移動通信端末などに具備される適応型チューニングアンテナ回路でアンテナのインピーダンスを調節するものであり、実際のアンテナから放射される信号の出力には変わりがなく、アンテナのインピーダンスを最適にマッチングさせることができる。
【図１】
2013502137.tif 000003
【図２】
2013502137.tif 000004
【図３】
2013502137.tif 000005
【図４】
2013502137.tif 000006
【図５】
2013502137.tif 000007
【図６】
2013502137.tif 000008
【図７】
2013502137.tif 000009
【図８】
2013502137.tif 000010
【図９】
2013502137.tif 000011
【国際調査報告】
2013502137.tif 000012
2013502137.tif 000013